(57)【要約】      （修正有）【課題】容易に組み立てることができ、かつ、輸送や保管もし易い捕虫器組立てシートを提供する。【解決手段】捕虫器組立てシート１は、紙製の有底箱体形成体２と、樹脂製のフィルム３とを有し、有底箱体形成体２は、矩形状の底片２１と、矩形状の４つの側片２２ａ、２２ｂ、２２ｃ、２２ｄと、２つの連結片２３ａ、２３ｂと、により成るシート状の部材であり、フィルム３が有底箱体の開口縁より所定値以上離隔してその内面に接着されている。【選択図】図１
0003225920.tif 000002
【実用新案登録請求の範囲】
【請求項１】
矩形状の底片と、当該底片の一辺と同一寸法の下辺と当該底片に対して略直角に折り曲げることによりロ字状の開口縁を構成する上辺とを備え当該底片の各辺に連接される矩形状の４つの側片と、前記側片のうち相互に対向して配置される２つの側片のそれぞれの上辺に連接される２つの連結片と、により成るシート状の有底箱体形成体と、
前記底片および前記側片のそれぞれに接着され、前記底片よりも大きく、かつ、前記側片の各上辺から所定値以上離隔するように縦幅及び横幅が設定された平滑な矩形状のフィルムと、
を有し、
前記連結片は、
前記連結片が連接される側片と横幅が同一で上下幅が短い矩形状の接続部と、
当該接続部の両側辺側に折り線を介して突設され、接着領域が設けられた左右一対のタブ状の突出部と、
を備えることを特徴とする捕虫器組立てシート。
【請求項２】
請求項１記載の捕虫器組立てシートを、前記フィルムを接着した側が内側になるように組み立てた捕虫器で、
前記側片のそれぞれには、前記フィルムを前記側片に接着する帯状の接着領域が、前記フィルムの端辺から離隔した位置に設けられており、
前記フィルムの角部は、前記連結片と前記連結片が連接された側片との間に挟み込んであり、
前記突出部は、前記連結片が連接されていない側片に接着されていることを特徴とする捕虫器。
【考案の詳細な説明】
【技術分野】
【０００１】
本考案は、捕虫器組立てシート及び捕虫器に関し、特に、居室内に進入する小型の虫（トコジラミ等）を捕獲するための捕虫器組立てシート及び捕虫器に関する。
【背景技術】
【０００２】
南京虫とも称されるトコジラミ（以下「南京虫」という。）は、自然豊かな環境下にある木造家屋の柱や天井、畳の隙間や絨毯の裏等に潜んでおり、布団やベッドで寝ている就寝者を刺咬して吸血し、痒みを与えることが知られている。南京虫の全長は約５―７ｍｍであり、歩行により移動する。居室内における南京虫を駆除する方法としては、例えば、スプレー式殺虫剤が汎用されているが、赤外線を用いた捕虫器（特許文献１）も知られている。
【先行技術文献】
【特許文献】
【０００３】
【特許文献１】特開２０１５−１３０８６０号公報
【考案の概要】
【考案が解決しようとする課題】
【０００４】
従来の殺虫剤を噴射する方法では化学成分が室内に拡散するため健康を害するおそれがあり、また、特許文献１に開示される技術は構造が複雑で製造コストが高く、利便性が低い。また、嵩張るため輸送コストが高く、保管もしにくい。
【０００５】
本考案は、上記課題に鑑みてなされたものであり、容易に組み立てることができ、かつ、輸送や保管もし易い捕虫器組立てシート及び、南京虫等の居室内に進入する小型の虫を捕獲するのに好適で、製造コストが安く、利便性が高い捕虫器を提供することにある。
【課題を解決するための手段】
【０００６】
本考案の第１の態様は、上記目的を達成するため、矩形状の底片と、当該底片の一辺と同一寸法の下辺と当該底片に対して略直角に折り曲げることによりロ字状の開口縁を構成する上辺とを備え当該底片の各辺に連接される矩形状の４つの側片と、前記側片のうち相互に対向して配置される２つの側片のそれぞれの上辺に連接される２つの連結片と、により成るシート状の有底箱体形成体と、
前記底片および前記側片のそれぞれに接着され、前記底片よりも大きく、かつ、前記側片の各上辺から所定値以上離隔するように縦幅及び横幅が設定された平滑な矩形状のフィルムと、
を有し、
前記連結片は、
前記連結片が連接される側片と横幅が同一で上下幅が短い矩形状の接続部と、
当該接続部の両側辺側に折り線を介して突設され、接着領域が設けられた左右一対のタブ状の突出部と、
を備えることを特徴とする捕虫器組立てシートを提供する。
【０００７】
本考案の第２の態様は、上記目的を達成するため、上述した態様の捕虫器組立てシートを、前記フィルムを接着した側が内側になるように組み立てた捕虫器で、
前記側片のそれぞれには、前記フィルムを前記側片に接着する帯状の接着領域が、前記フィルムの端辺から離隔した位置に設けられており、
前記フィルムの角部は、前記連結片と前記連結片が連接された側片との間に挟み込んであり、
前記突出部は、前記連結片が連接されていない側片に接着されていることを特徴とする捕虫器を提供する。
【考案の効果】
【０００８】
本考案の捕虫器組立てシートによれば、容易に組み立てることができ、かつ、輸送や保管もし易い。また、嵩張らないため、輸送コストが安く、保管スペースも少なくてすむ。本考案の捕虫器によれば、捕虫器内に進入した南京虫等が脱出し難く、当該捕虫器を居室内に配置しておくことにより、南京虫等の居室内に進入する小型の虫を捕獲するのに好適で、製造コストが安く、利便性が高い。また、薬品を一切使っていないので安全である。
【図面の簡単な説明】
【０００９】
【図１】本考案の捕虫器組立てシートの実施例１の正面図である。
【図２】本考案の捕虫器組立てシートの実施例１の裏面図である。
【図３】本考案の捕虫器組立てシートの実施例１から本考案の捕虫器の実施例１を組立てる途中の状態を示す斜視図である。
【図４】本考案の捕虫器の実施例１の使用状態を示す斜視図である。
【考案を実施するための形態】
【００１０】
以下、本考案について、適宜図面を参照しつつ本考案の実施の形態を具体的に説明するが、本考案はこれらの実施の形態に限定されるものではなく、本考案の要旨を変更しない限りにおいて適宜変更可能である。
【実施例１】
【００１１】
図１は、本考案の捕虫器組立てシートの実施例１の正面図である。図２は、本考案の捕虫器組立てシートの実施例１の裏面図である。なお、フィルム３は透明であり、フィルム３に透過して有底箱体形成体２を描いている。捕虫器組立てシート１は、紙製の有底箱体形成体２と、樹脂製のフィルム３とを有し、後述する簡易な手順により立体的な捕虫器Ｈに組み立てて使用することが可能な捕虫用具である。組み立て前の捕虫器組立てシート１は平板状であって嵩張らないため、輸送コストが安く、保管スペースも少なくてすむ。また、ポリプロピレンフィルムや厚紙といった既製品を用いて製作することができ製造コストにも優れている。以下、各構成につき順次説明する。
【００１２】
有底箱体形成体２は、矩形状の底片２１と、矩形状の４つの側片２２ａ、２２ｂ、２２ｃ、２２ｄと、２つの連結片２３ａ、２３ｂと、により成るシート状の部材であり、例えば厚さが約０．５ｍｍである一枚の厚紙を裁断することにより形成される。底片２１、側片２２ａ、２２ｂ、２２ｃ、２２ｄ、及び、連結片２３ａ、２３ｂは、図中一点鎖線で示す折り線を介して、後述する形態で連接されている。なお、有底箱体形成体は縦幅及び横幅が略同一の立方体状であっても良い。
【００１３】
側片２２ａ、２２ｂ、２２ｃ、２２ｄは、底片２１の一辺と同一寸法の下辺２２１ａ、２２１ｂ、２２１ｃ、２２１ｄと、底片２１に対して略直角に折り曲げることによりロ字状の開口縁１１１を構成する上辺２２２ａ、２２２ｂ、２２２ｃ、２２２ｄとを備えており（図２参照）、下辺２２１ａ、２２１ｂ、２２１ｃ、２２１ｄを折り線として底片２１に連接されている。側片２２ａ、２２ｂはともに同一形状であり、側片２２ｃ、２２ｄはともに同一形状である。
【００１４】
連結片２３ａ、２３ｂは、底片２１に対して略直角に折り曲げられた側片２２ａ、２２ｂ、２２ｃ、２２ｄを相互に接着することにより自立可能な有底箱体１１を形成するとともに、後述するフィルム３の角部３１を側片２２ａ、２２ｂとの間に挟み込んで収容するための部位である。本実施の形態においては、連結片２３ａ、２３ｂは、側片２２ａ、２２ｂ、２２ｃ、２２ｄのうち相互に対向して配置される２つの側片２２ａ、２２ｂのそれぞれの上辺２２２ａ、２２２ｂに連接されているが、これに変えて、側片２２ｃ、２２ｄ側に連結片を設けるようにしても良い。
【００１５】
連結片２３ａは、連結片２３ａが連接される側片２２ａと横幅が同一で上下幅が短い矩形状の接続部２３１ａと、接続部２３１ａの両側辺側に折り線２３３を介して突設され、接着領域４１ａ（図２参照）が設けられた左右一対のタブ状の突出部２３２ａと、を備える。接着領域４１ａには、両面接着テープが付けられ、組み立て時に剥離シートを剥がして接着できる構成となっている。なお、連結片２３ａ、２３ｂはともに同一形状であり、接続部２３１ｂおよび突出部２３２ｂの構成は、接続部２３１ａおよび突出部２３２ａと同一の構成であるため説明を省略する。
【００１６】
フィルム３は、平滑なポリプロピレンフィルムであり、底片２１および側片２２ａ、２２ｂ、２２ｃ、２２ｄのそれぞれに接着される。フィルム３を有底箱体形成体２に接着するため、底片２１には接着領域４２が設けられており、側片２２には接着領域４３ａ、４３ｂ、４３ｃ、４３ｄが設けられている。これらの接着領域において、接着剤を塗布して熱圧着すること等によりフィルム３が有底箱体形成体２に貼り合わされている。
【００１７】
フィルム３の縦幅及び横幅は、底片２１よりも大きく、かつ、側片２２ａ、２２ｂ、２２ｃ、２２ｄの各上辺２２２ａ、２２２ｂ、２２２ｃ、２２２ｄ（即ち、有底箱体１１に組み立てたときの開口縁１１１）から所定値（Ｓ）以上底辺方向に離隔するように設定されている。図示する場合には、有底箱体形成体２の各寸法は、縦幅（連結片を含まない）が約３５０ｍｍ、横幅が約１７０ｍｍ、うち底片２１の縦幅が約２５０ｍｍ、底片２１の横幅が約７０ｍｍである。かかる寸法の有底箱体形成体２に対して、縦幅Ｌ１が約３２８ｍｍ、横幅Ｌ２が約１４５ｍｍのフィルムが、上下左右対称となるように配置される。これにより、フィルム３は、底片２１全体を覆って、その角部３１ａ、３１ｂ、３１ｃ、３１ｄが有底箱体形成体２からはみ出るとともに、有底箱体１１に組み立てたときの開口縁１１１から約１０ｍｍ以上離隔して接着されている。フィルム３の縦幅Ｌ１は、有底箱体形成体２の縦幅（連結片を含まない）より約２０ｍｍ以上狭く、フィルム３の横幅Ｌ２は、有底箱体形成体２の横幅より約２０ｍｍ以上狭いことが好ましい。なお、かかる寸法の有底箱体形成体２によれば、図４に示すような、深さが約５０ｍｍ、横幅が約７０ｍｍ、図中奥行き方向の縦幅が約２５０ｍｍである有底箱体１１を形成することができる。
【００１８】
次に、捕虫器組立てシート１の組立て順序を説明する。図３は、本考案の捕虫器組立てシートの実施例１から本考案の捕虫器の実施例１を組立てる途中の状態を示す斜視図である。図４は、本考案の捕虫器の実施例１の使用状態を示す斜視図である。なお、フィルム３は透明であるので、フィルム３に透過して有底箱体１１を描いている。捕虫器Ｈを組み立てる場合には、先ず、下辺２２１ａ、２２１ｂ、２２１ｃ、２２１ｄを折り線として、底片２１に対して、フィルムを接着した側が内側となるように、側片２２ａ、２２ｂ、２２ｃ、２２ｄを直角に折り曲げる。このとき、有底箱体形成シート２からはみ出たフィルム３の各角部３１は、折り線３２に沿って三角状に折り曲げて、図３に示すように、側片２２同士の各隙間から外部に突出させる。
【００１９】
次いで、図３中矢印で示すように、上辺２２２ａ、２２２ｂを折り線として、連結片２３ａ、２３ｂが連接された側片２２ａ、２２ｂの外面に対面するように連結片２３ａ、２３ｂを約１８０°折り曲げる。このとき、フィルム３の角部３１を、接続部２３１ａ、２３１ｂと側片２２ａ、２２ｂとの間に挟みこむようにして折り曲げる。最後に、折り線２３３に沿って突出部２３２ａ、２３２ｂを約９０°折り曲げ、突出部２３２ａ、２３２ｂを隣り合う側片２２ｃ、２２ｄの外面に接着領域４１ａ、４１ｂを押し当てて接着するだけで、図４に示す形態の捕虫器Ｈを容易に組み立てることができる。組立て後の捕虫器Ｈは、有底箱体１１の内側にフィルム３が貼り付けられており、かつ、フィルム３の角部３１が接続部２３１ａ、２３１ｂと側片２２ａ、２２ｂとの間に挟み込まれた状態で、側片２２ａ、２２ｂ、２２ｃ、２２ｄ同士の隙間が塞がれている。
【００２０】
図４中の矢印は南京虫Ｍの進入経路を例示するものである。有底箱体１１の外面を這い上ってその内側に進入した南京虫Ｍは、平滑なポリプロピレンフィルムに達すると、いわば蟻地獄内のアリのように、這い上がろうとしても脚元をすくわれて滑り落ち、脱出不能ないし極めて困難な状態に陥る。これにより、南京虫Ｍを捕獲することができる。この点、フィルムが開口縁１１１まで接着されていると、脚元をすくわれた虫が有底箱体１１の外側に落下して取り逃してしまうおそれがあるが、本考案によれば、フィルム３が有底箱体１１の開口縁１１１より所定値（Ｓ）以上離隔してその内面に接着されているため、南京虫が外側に落下するのを防ぐことができる。さらに、前述のとおり、フィルム３の角部３１が接続部２３１ａ、２３１ｂと側片２２ａ、２２ｂとの間に挟み込まれた状態で側片２２ａ、２２ｂ、２２ｃ、２２ｄ同士の隙間が塞がれているため、有底箱体１１の内側に落下した南京虫が外部に脱出するのを防ぐことができる。
【００２１】
以上述べたとおり、実施例１の捕虫器組立てシートによれば、捕虫器Ｈ内に進入した南京虫Ｍが脱出し難い構成を有する捕虫器Ｈを容易に組み立てることができ、かつ、輸送や保管もし易い。また、嵩張らないため、輸送コストが安く、保管スペースも少なくてすむ。また、実施例１の捕虫器によれば、捕虫器内に進入した南京虫等が脱出し難く、当該捕虫器を居室内に配置しておくことにより、南京虫等の居室内に進入する小型の虫を捕獲するのに好適で、製造コストが安く、利便性が高い。また、薬品を一切使っていないので安全である。
【００２２】
なお、図１等に示すように、側片２２ａ、２２ｂ、２２ｃ、２２ｄのそれぞれには、フィルム３を側片２２ａ、２２ｂ、２２ｃ、２２ｄに接着する帯状の接着領域４３ａ、４３ｂ、４３ｃ、４３ｄが、フィルム３の端辺から離隔した位置に設けることにより、フィルム３の端辺を接着しないようにしても良い。
【００２３】
図示する場合には、フィルム３は側片の上辺から約１０ｍｍ離隔した位置に配置されているが、接着領域４３ａ、４３ｂ、４３ｃ、４３ｄはフィルム３の端辺から約１０ｍｍ離隔した位置（即ち、側片の上辺から約２０ｍｍ離隔した位置）に、約５ｍｍの幅で、フィルム３の端辺と略並行に、帯状に設けられている。このように、フィルム３の端辺を接着しないことで、その端辺が内巻に湾曲するため（図４参照）、有底箱体１１の内側に落下した南京虫Ｍが這い上がろうとしても、内向きに湾曲したフィルム３の端辺が障害となって、南京虫Ｍの脱出をより確実に防ぐことができる。
【００２４】
なお、本考案は、上記実施の形態に限定されず、その考案の趣旨を逸脱しない範囲で種々と変形実施が可能である。上記各寸法やフィルムの種別は、一例に過ぎず、捕獲対象である虫の体長や歩行能力等に応じて適宜変更することが可能である。フィルムとしては、平滑なフィルムであれば、ポリプロピレンフィルムに限られず適用することができる。捕虫器組立てシートのうち有底箱体の外面を構成する面には、和紙や千代紙を貼り付けて装飾するようにしても良い。
【符号の説明】
【００２５】
１        捕虫器組立てシート
１１      有底箱体
１１１    開口縁
２        有底箱体形成体
２１      底片
２２      側片
２２１    下辺
２２２    上辺
２３      連結片
２３１    接続部
２３２    突出部
２３３    折り線
３        フィルム
３１      角部
３２      谷折り線
４１      接着領域
４２      接着領域
４３      接着領域
Ｍ        南京虫
Ｈ        捕虫器
【図１】
0003225920.tif 000003
【図２】
0003225920.tif 000004
【図３】
0003225920.tif 000005
【図４】
0003225920.tif 000006